(57)【特許請求の範囲】
【請求項１】
給水路が形成された吐水管付き蛇口本体と、この蛇口本体に着脱自在に装着された水栓本体とを有するシングルレバー式水栓において、前記水栓本体は、前記給水路に連通する導水路と排水路を有する連通部材と、この連通部材の前記導水路に連通する給水孔および前記排水路に連通する吐水孔が形成された固定ディスクと、この固定ディスクに対して移動自在に上載され下面に凹部を有する可動ディスクと、前記固定ディスクおよび可動ディスクを支持する支持部材と、前記可動ディスクを移動させる操作レバーとを備え、前記可動ディスクの前記凹部が、前記操作レバーの操作により、前記給水孔を閉塞する閉塞位置と前記給水孔および前記吐水孔に跨がる開放位置とに移動するように構成してあり、更に、前記水栓本体から縦方向の軸心周りで回動自在に突出した状態で前記連通部材の前記排水路に連通する連通路が形成された突出部材を設けるとともに、前記蛇口本体に設けてある前記吐水管よりも長い吐水管を前記突出部材に対して水平方向の軸心周りで回動自在に装着してあることを特徴とするシングルレバー式水栓。
【発明の詳細な説明】
【０００１】
【発明の属する技術分野】
この発明は、給水路が形成された吐水管付き蛇口本体と、この蛇口本体に着脱自在に装着された水栓本体とよりなるシングルレバー式水栓に関する。
【０００２】
【従来の技術】
本出願人は、図７に示すように、水道水等を吐水する既設の自在水栓の蛇口本体１ａから回転式操作ハンドル２１を備えた自在水栓本体１ｂを取り外すとともに、残された蛇口本体１ａに、操作レバー５９、セラミック製の固定ディスク４６およびセラミック製の可動ディスク４９を備えた水栓本体２３を着脱自在に装着してなるシングルレバー式水栓１を提案している（特願平１１−２８９７０号、特開２０００−１６０６１１号明細書、図面参照）。このシングルレバー式水栓１は、自在水栓本体１ｂの場合のように操作ハンドル２１をきつく締めなくても操作レバー５９を上下方向に回動させるだけの簡単な操作で可動ディスク４９を移動させて止水および流量調節を行うことができるとともに、前記両ディスク４６，４９を用いているので、自在水栓本体１ｂの場合のようにパッキン１５が劣化して水漏れが発生するような事態を回避して完全に止水することができる点で大変有用である。
【０００３】
【発明が解決しようとする課題】
しかし、このシングルレバー式水栓１を、図６に示すように、例えば手洗器２０の洗面台２１の取付け面部２２に立設させた場合、この取付け面部２２に載置・固定されている蛇口本体１ａの吐水部４の前出し長さＬ（図１参照）が短く、かつ、取付け面部２２の延長線上か、あるいは、取付け面部２２から高さＨだけ離れた上方位置（図１参照）に吐水部４の吐水口４ａが位置することにより洗面台ボール１４に吐水口４ａが近づきすぎて使用者が手を差し延べる吐水口空間（吐水許容空間）Ｓが狭かった。そのため、使用者は手を吐水口４ａに当てたり、時には、手を吐水口４ａと洗面台ボール２３に当てたりしながら手洗いする必要があった。
【０００４】
この発明は、前記の点に留意してなされたものであり、その目的は、使用者が手を差し延べる吐水口空間（吐水許容空間）を広く設定できるシングルレバー式水栓を提供することである。
【０００５】
【課題を解決するための手段】
上記目的を達成するために、この発明は、給水路が形成された吐水管付き蛇口本体と、この蛇口本体に着脱自在に装着された水栓本体とを有するシングルレバー式水栓において、前記水栓本体は、前記給水路に連通する導水路と排水路を有する連通部材と、この連通部材の前記導水路に連通する給水孔および前記排水路に連通する吐水孔が形成された固定ディスクと、この固定ディスクに対して移動自在に上載され下面に凹部を有する可動ディスクと、前記固定ディスクおよび可動ディスクを支持する支持部材と、前記可動ディスクを移動させる操作レバーとを備え、前記可動ディスクの前記凹部が、前記操作レバーの操作により、前記給水孔を閉塞する閉塞位置と前記給水孔および前記吐水孔に跨がる開放位置とに移動するように構成してあり、更に、前記水栓本体から縦方向の軸心周りで回動自在に突出した状態で前記連通部材の前記排水路に連通する連通路が形成された突出部材を設けるとともに、前記蛇口本体に設けてある前記吐水管よりも長い吐水管を前記突出部材に対して水平方向の軸心周りで回動自在に装着してある。
【０００６】
【発明の実施の形態】
以下、この発明の実施の形態について説明する。
【０００７】
図１〜図５は、この発明の一実施形態を示す。なお、図１〜図５において、図６、図７で用いた符号と同一のものは、同一または相当物である。
【０００８】
図１〜図５において、１ａは青銅鋳物からなる蛇口本体で、後部には給水配管（図示せず）に連通する給水部２を有するとともに、中央部の上面には上下方向に形成された取付部３を有し、更に、給水部２および取付部３から連設形成される前部には吐水管４を有する。この吐水管４は、先端にいくにつれ斜め上方に傾斜して形成された後下方に湾曲する形状を有する。４ａは、吐水管４の先端に形成された吐水口である。
【０００９】
２３は、水栓本体で、蛇口本体１ａに着脱自在に装着されている。そして、水栓本体２３、蛇口本体１ａ、水栓本体２３から突出した状態で設けた後述する突出部材９０およびこの突出部材９０に対して回動自在に装着してある吐水管９５とでシングルレバー式水栓１’が主として構成される。この突出部材９０および吐水管９５はこの発明の特徴的構成要件であり後程詳述する。前記吐水管９５の長さＫは、蛇口本体１ａに設けてある前記吐水管４の前出し長Ｌ（＜Ｋ）よりも長く設定されている。
【００１０】
前記水栓本体２３は、前記給水路ａに連通するよう中央貫通孔１００内に形成された導水路ｂ、この導水路ｂの外向きまわりに同心円上に設けられた複数個の排水路ｃおよび排水路ｃの外周位置に形成された環状のネジ部Ｎを有する略筒状の連通部材２４’と、前記導水路ｂに連通する給水孔４７および前記排水路ｃに連通する吐水孔４８が形成された円板状の固定ディスク４６と、この固定ディスク４６に対して移動自在に上載され下面４９ａに凹部５０を有する可動ディスク４９と、固定ディスク４６および可動ディスク４９を支持する支持部材３８〔図３（Ｂ）参照〕と、可動ディスク４９を移動させる操作レバー５９とを主として備えている。２８は、前記排水路ｃを形成する縦断面略Ｌ型形状の排水孔である。
【００１１】
更に、前記連通部材２４’は、図１に示すように、導水路ｂの最下流部に前記中央貫通孔１００の上方開口ｆを形成する環状の突設体２６を有するとともに、前記各排水孔２８の入口が前記突設体２６の外周縁に位置する。
【００１２】
前記固定ディスク４６は、連通部材２４’の前記上方開口ｆに内嵌された環状パッキン３５（図１参照）および連通部材２４’の前記ネジ部Ｎに螺合した管体３７’に支持された環状パッキン３６の上面に設けられている。前記給水孔４７は固定ディスク４６の中心部に形成されており、図３（Ｃ）に示すように、前記給水孔４７の下端開口４７ａが円形状で、上端開口４７ｂが前記下端開口４７ａより大径の楕円形状に形成される一方、給水孔４７の側方に、前記吐水孔４８が三日月状に形成されている。また、図５に示すように、固定ディスク４６の周縁部に形成された係合凹部４６ｃに後述する支持部材３８の下部材８２に設けた係合片４０が係止し、固定ディスク４６の下面の周縁部Ｍが下部材８２の支持杆４１に支持される。
【００１３】
一方、前記可動ディスク４９は、固定ディスク４６に水密状態に摺動自在に上載され、下面の中央部に凹部５０が形成され、周縁部の対向した位置に２個の係止凹部５１が形成されている。５２は合成樹脂材からなるガイドであり、両側に垂下された係止片５３が可動ディスク４９の両係止凹部５１に係止し、ガイド５２が可動ディスク４９の上面に載設されている。５４はガイド５２の上面に設けられた突設体であり、中央部に支持部５５が設けられている。
【００１４】
前記支持部材３８は、耐久性能を考えて、合成樹脂製の上部材８１と下部材８２に２分割されている。
【００１５】
すなわち、図５に示すように、上部材８１に設けた支持片３９と下部材８２に設けた係合片４０を係止部材８３，８４を介して係止させることにより上部材８１および下部材８２を容易に組付けできるよう構成されている。そして、係止部材８３，８４を外して例えば下部材８２内に固定ディスク４６、可動ディスク４９およびガイド５２を順次収容し、下部材８２に上部材８１を係止するだけで支持部材３８内に固定ディスク４６、可動ディスク４９およびガイド５２を容易に収容できる。
【００１６】
次に操作レバー５９の操作による可動ディスク４９および固定ディスク４６の動作について説明する。まず、図１の実線は止水状態を示し、操作レバー５９の把持部５９ｂが下端に位置し、図４（Ａ）に示すように、可動ディスク４９の凹部５０が固定ディスク４６の給水孔４７を閉塞している。
そして、この止水状態から操作レバー５９を若干上方に回動すると、図３（Ａ）に示すように、レバー５７が直立状態になり、可動ディスク４９の凹部５０が固定ディスク４６の給水孔４７および吐水孔４８に跨がり、吐水孔４８が半開状態になり、凹部５０を介して給水孔４７および吐水孔４８が連通し、連通部材２４’の導水路ｂ、固定ディスク４６の給水孔４７、可動ディスク４９の凹部５０、固定ディスク４６の吐水孔４８および連通部材２４’の各排水孔２８を通って少量の水が排水される。
【００１７】
次に、前記操作レバー５９をさらに上方に回動すると、図４（Ｂ）に示すように、可動ディスク４９の凹部５０が若干移動し、吐水孔４８が全開状態になり、多量の水が排水される。
このように、操作レバー５９の回動により、可動ディスク４９の凹部５０が移動し、固定ディスク４６の吐水孔４８の開放面積が調整され、排水される水の流量を適宜調整することができる。
【００１８】
また、この実施形態では、スベリ部材７０を設けることにより、軸心方向（Ｐ方向）のまわりに連通部材２４’、管体３７’、支持部材３８、上カバー８８ａ、下カバー８８ｂおよび操作レバー５９を蛇口本体１ａに対して３６０°回転できるよう構成している。スベリ部材７０は、ナット３２および連通部材２４’間に挟持されている。
【００１９】
すなわち、前記スベリ部材７０は、内方に行くほど下降するテーパ状の傾斜面を上面に有する合成ゴムの環状パッキン７２と、この環状パッキン７２の上面に密着する下面形状を有する金属製の環状スベリ座７３と、この環状スベリ座７３の上部に位置する金属（例えば真鍮）製のスベリリング７４とから構成される。
【００２０】
一方、連通部材２４’の下端部には、蛇口本体１ａの連通孔１０の側から順に上に向かって、連通部材２４’の下端部に嵌合された環状のパッキン７５、合成樹脂製のスベリパッキン７７および前記パッキン７５を連通部材２４’に係止するための金属製の止め輪７６が設けられている。
【００２１】
前記環状のパッキン７５は、合成ゴム部材７８に金属製の筒体７９を嵌め込んだ形の吊コマで構成されている。
【００２２】
また、操作レバー５９の側において、８０は金属製のブッシングで、管体３７’の上部内面に形成されたネジＧに螺合するネジＧ’を外周面に有する。５８はピンである。
【００２３】
以下、この発明の特徴的構成要件である前記突出部材９０と吐水管９１について説明する。
【００２４】
前記突出部材９０は、シングルレバー式水栓１’を正面から見た場合に水栓本体２３の右側に水栓本体２３から突出した状態で設けられている。この突出部材９０は、有底の筒状で、横置き状態に設けられ、周壁部９１と閉塞部９２とで構成される。すなわち、周壁部９１の中心軸Ｘが、手洗器２０の洗面台２１の取付け面部２２の上部平坦面２２ａに平行になるよう突出部材９０が水栓本体２３に取り付けられている。更に、周壁部９１には、通水用横孔９３が形成されている。この通水用横孔９３は、上流側に排水路ｃに連通する横向き開口９１ａを有するとともに、下流側に後述する吐水路ｅに連通する一つの通水口９１ｂを有する。そして、この通水用横孔９３によって連通部材２４’の前記排水路ｃに連通する連通路ｄが形成されている。また、周壁部９１の前記通水口９１ｂの位置には中心軸Ｘのまわりで軸径がｔの縦環状溝９４が形成されている。なお、３００〜３０５は、それぞれ環状のシール部材である。
【００２５】
また、前記吐水管９５は中心軸Ｘのまわりに回動自在な吐水管部９６を有する。この吐水管部９６は、前記吐水管４の前出し長Ｌよりも長い逆Ｌ字状で、先端である下流端に吐水口９７を有し、基端である上流端に通水口９１ｂを介して縦環状溝９４に連通する導入開口９７ｂを有する。９８は環状のヒンジで、吐水管部９６が導入開口９７ｂを介してロー付等の連結手段で連結されている。このヒンジ９８は、周壁部９１に形成した環状の取付溝１０１にキャップ１０２によって抜け止め可能で、中心軸Ｘのまわりに回動自在に嵌め込まれている。また、前記ヒンジ９８は縦環状溝９４に連通可能な一つの連通孔９９を有する。更に、前記キャップ１０２は閉塞部９２を覆う状態で突出部材９０に取り付けられている。
【００２６】
そして、連通部材２４’の周面に突出部材９０の基部９０ａを抜け止め部材１０４を介して押し当てることで突出部材９０を水栓本体２３に固定状態で装着できるとともに、管体３７’の下部を下カバー８８ｂで覆うとともに、管体３７’の上部が上カバー８８ａで覆われている。
【００２７】
そのため、（１）前記吐水管９５を中心軸Ｘのまわりに３６０°回転自在に構成できるとともに、（２）軸心方向（Ｐ方向）のまわりに連通部材２４’、管体３７’、支持部材３８、上カバー８８ａ、下カバー８８ｂ、操作レバー５９および吐水管９５を蛇口本体１ａに対して３６０°回転自在に構成できる。
【００２８】
更に、上カバー８８ａと操作レバー５９を固定しておくと、（３）軸心方向（Ｐ方向）のまわりに連通部材２４’、管体３７’、支持部材３８、下カバー８８ｂおよび吐水管９５を蛇口本体１ａに対して３６０°回転自在に構成できる。
【００２９】
而して、吐水管９５を中心軸Ｘのまわりに３６０°回転自在に構成したので、使用者が手を差し延べる吐水口空間（吐水許容空間）を従来に比して広く設定できる。例えば、吐水管９５を中心軸Ｘのまわりに回転させて図２に示す状態にした場合、吐水口空間（吐水許容空間）を従来に比して広くでき、使用勝手を向上できる。
【００３０】
【発明の効果】
以上説明したように、この発明のシングルレバー式水栓は、水栓本体から縦方向の軸心周りで回動自在に突出した状態で前記連通部材の前記排水路に連通する連通路が形成されてた突出部材を設けるとともに、前記蛇口本体に設けてある前記吐水管よりも長い吐水管を前記突出部材に対して水平方向の軸心周りで回動自在に装着したので、使用者が手を差し延べる吐水口空間（吐水許容空間）を従来に比して広く設定でき、使用勝手を向上できる。
【図面の簡単な説明】
【図１】  この発明の一実施形態を示す全体構成説明図である。
【図２】  上記実施形態の使用状態を示す斜視図である。
【図３】  （Ａ）は、図１の一部の断面図である。
（Ｂ）は、前記（Ａ）の切断側面図である。
（Ｃ）は、前記（Ａ）のＣ−Ｃ線平面図である。
（Ｄ）は、前記（Ａ）のＤ−Ｄ線下面図である。
【図４】  （Ａ）は、上記実施形態で用いたディスク同士が閉塞状態にあるときの平面図である。
（Ｂ）は、上記実施形態で用いたディスク同士が開放状態にあるときの平面図である。
【図５】  上記実施形態の一部を示す分解斜視図である。
【図６】  従来例の使用状態を示す斜視図である。
【図７】  従来例の自在水栓本体および上記実施形態の水栓本体の交換状態を説明する切断側面図である。
【符号の説明】
１’…シングルレバー式水栓、１ａ…蛇口本体、４…吐水管、２３…水栓本体、２４’…連通部材、３８…支持部材、４６…固定ディスク、４７…給水孔、４８…吐水孔、４９…可動ディスク、５０…凹部、５９…操作レバー、９０…突出部材、９５…吐水管、ａ…給水路、ｂ…導水路、ｃ…排水路、ｄ…連通路。
【図１】
0004643831.tif 000002
【図２】
0004643831.tif 000003
【図３】
0004643831.tif 000004
【図４】
0004643831.tif 000005
【図５】
0004643831.tif 000006
【図６】
0004643831.tif 000007
【図７】
0004643831.tif 000008